(57)【要約】【課題】  工事現場で発生する建設混合廃棄物から再生可燃物を効率よく連続的に選別することができる建設混合廃棄物の選別設備を提供する。【解決手段】  ５００ｍｍ以上の長大物を含む建設混合廃棄物の選別設備において、前記建設混合廃棄物を展開して搬送する展開コンベア３と、展開コンベア３で展開された建設混合廃棄物が供給されて建設混合廃棄物から長大物６を選別する長大物選別機５とを配置する。長大物選別機５で長大物６を除いた建設混合廃棄物１２を３００ｍｍ以上５００ｍｍ未満の中物と３００ｍｍ未満の小物に選別する中物選別機１４と、中物選別機１４で選別された中物の袋物を破袋する選別ライン２１と、中物選別機１４で選別された３００ｍｍ未満の小物を３０ｍｍ未満の土砂と３００ｍｍ未満３０ｍｍ以上の小物に選別する小物選別ラインを配置する。【選択図】図１
2006000780.tif 000002
【特許請求の範囲】
【請求項１】
建築物の新築工事現場あるいは解体工事現場で発生した、５００ｍｍ以上の粒度範囲の長大物を含む建設混合廃棄物の選別設備において、
前記建設混合廃棄物を展開して搬送する展開コンベアと、前記展開コンベアで展開された前記建設混合廃棄物が供給されて前記建設混合廃棄物から長大物を選別する長大物選別機とを配置し、前記長大物から重機にて再生可能物を選別するラインを配置したことを特徴とする建設混合廃棄物の選別設備。
【請求項２】
前記長大物選別機で長大物を除いた建設混合廃棄物を３００ｍｍ以上５００ｍｍ未満の粒度範囲の中物と３００ｍｍ未満の粒度範囲の小物に選別する中物選別機と、この中物選別機で選別された前記中物の袋物を破袋する袋物破袋設備と、前記中物選別機で選別された３００ｍｍ未満の粒度範囲の小物を３０ｍｍ未満の粒度範囲の土砂類と３００ｍｍ未満３０ｍｍ以上の粒度範囲の小物に選別する小物選別機と前記袋物破袋設備で破袋した袋物の中身を前記小物選別機に搬送する装置と前記５００ｍｍ未満のサイズ別に選別された中物、小物、土砂類を個別又は混合して、機械又は人手にて再生可能物に選別するラインとを備えたことを特徴とする請求項１記載の建設混合廃棄物の選別設備。
【発明の詳細な説明】
【技術分野】
【０００１】
本発明は、建築物の新築工事現場あるいは解体工事現場で発生した建設混合廃棄物から連続的にかつ効率的に再生可能物を選別する選別設備に関するものである。
【背景技術】
【０００２】
建築物の新築工事現場あるいは解体工事現場（以下「工事現場」という。）では多品種、多サイズの廃棄物が混合された建設混合廃棄物が発生する。工事現場の建設混合廃棄物は、木、鉄、石膏ボード、電線、塩ビ管等の建設部材の破材、または廃プラ、ダンボール、ビニールシート、発泡スチロール、ヒモ等の梱包材など軽量系の混合廃棄物と、コンクリートガラ、ガラス、鉄骨、アルミサッシ、レンガ等の建物の解体くず、または石膏ボード、電線、木、ビニールクロス、塩ビパイプ、断熱材等の内装材の解体くず、または書類、空き缶等のゴミなど重量系の混合廃棄物である。
【０００３】
これらの建設混合廃棄物は、１ｍを越す大物から土砂までサイズが多様で且つ多種類の廃棄物の混合物からなっている。この建設混合廃棄物から主として材料別に選別してマテリアルリサイクルするものと、サーマルリサイクルする可燃系の混合物と、埋立処分をせざるを得ない物などに選別が行われてる。
【０００４】
図５は従来の建設混合廃棄物の一般的な処理フローの概略図、図６は従来の粗選別工程を示す図である。図５において、工事現場で発生した建設混合廃棄物は中間処理選別設備に搬入され、粗選別工程、仕上げ選別工程で品種別にリサイクル可能なものと、処分せざるを得ないものに選別される。仕上げ選別工程は機械選別工程、手選別工程、破砕工程、不燃物精選別工程からなる。
【０００５】
図６において、工事現場の建設混合廃棄物２は、工事現場に設置されたコンテナやボックスで収集、運搬されたり、建設現場の廃棄物ヤードから直接車両１に積み込んで搬送する。これらの廃棄物は中間処理施設に搬入し、コンクリート土間に展開（ダンピング）する。
【０００６】
粗選別工程では、コンクリート土間にダンピングした工事現場の建設混合廃棄物２を次ぎのように処理する。
ａ．重機７によって選別しやすいように建設混合廃棄物の山をならす。
ｂ．大物の再生可能物、仕上げ選別工程に入れると故障の原因となる処理困難物を、重いものは重機により、軽いものは人手３０によって選別する。選別対象サイズは３００〜５００ｍｍ以上のものであり、通常、コンクリートガラ、陶磁器くず、金属くず（鉄くず、アルミ、電線等）、廃木材、大物（ロール状のビニールシート等）の廃プラ、大物の可燃物（じゅうたん、たたみ等）、ダンボール、石膏ボード、塩ビ管、処理困難物（机、イス、岩石等）など品種別に選別される。
ｃ．選別されたものは、単品処理ラインで、物によって切断、破砕、梱包等の処理を行い出荷する。
ｄ．選別残さ３１は、次の仕上げ選別の機械選別工程へ重機３２でコンベア３３に移す。
【０００７】
仕上げ選別工程では次の工程がある。
ａ．機械選別工程
風力併用振動選別機、風力併用トロンメル等によって、約３０ｍｍ以下の土砂類、それ以上の重量物と軽量物などサイズ又は比重別に２〜３種類に選別する。約３０ｍｍ以上の重量物、軽量物は次の手選別工程に搬送される。約３０ｍｍ以下の土砂は、バイパスラインを通り、手選別残さの破砕物と合流する。
ｂ．手選別工程
手選別では、可燃物、塩ビ、石膏、木、金属類（アルミ、ステンレス、電線等）、処理困難物（スプレー缶、複合物等）などの再生可能物又は手選別後の残さ中に入ると後工程に支障をきたすものを選別し、ライン下にあるヤードまたはボックスに一次保管する。手選別工程の前工程または後工程に磁選機、アルミ選別機を設置するのが一般的であり、鉄くず、アルミくずは、機械的に選別する。手選別後の残さは、次の破砕工程に搬送する。
ｃ．破砕工程
手選別残さは、主としてコンクリートガラ、陶磁器くず、ガラスくず等の不燃物であり、木くず、紙、塩ビ等の人手で選別できなかった可燃物の小片が混入している。これらを衝撃式破砕機で破砕する。破砕サイズは４０〜３０ｍｍ以下が一般的である。
ｄ．不燃物精選別工程
手選別残さの破砕物と、機械選別工程で分別された土砂類は、合流して、不燃物精選別工程に搬送される。磁選機によって鉄くずを除去した後に、不燃物精選機に投入する。不燃物精選機は風力併用振動選別機、風力併用トロンメル等が一般的であり、約１０ｍｍの篩いと風力により、軽量可燃物と、約１０ｍｍ以下の砂品と、約１０〜約３０（４０）ｍｍの小ガラ品等の３種類程度に選別される。
【０００８】
なお、建設混合廃棄物の選別処理設備について、特許文献１、２などに記載されている。特許文献１には、この選別処理設備は、工事現場廃棄物から予め寸法の大きい構成物を粗選別して取り除き、粗選別後の廃棄物を概ね５００ｍｍ以下にした建設混合廃棄物を風力篩併用選別機などの選別機を用いて、細粒物と、比重別に重量品・軽量品の３種類程度に仕上げ選別するものである。
【０００９】
また、特許文献２には、工事現場廃棄物から長大物を選別せずに、一定のサイズに破砕した後に、再生可能物を選別する技術が記載されている。
【特許文献１】特開２００１−７９４４９３号公報
【特許文献２】特開平１０−２１１４４４号公報
【発明の開示】
【発明が解決しようとする課題】
【００１０】
従来の工程のうち、工事現場の建設混合廃棄物の選別工程には次の問題点があった。
【００１１】
（１）工事現場の建設混合廃棄物から長大物を選別するのに人、重機、車両が混在した作業であるため、常に危険を伴ない安全上の問題がある。
【００１２】
（２）工事現場の建設混合廃棄物中には土砂分が最大約５０％含まれ、粉塵が多く作業環境が悪いため作業員の健康上の問題がある。そのため、水噴霧による鎮塵をしている所もあるが、建設混合廃棄物中の水分によって目詰まり・付着などにより、後工程の振動篩いなどの機械選別の効率が悪くなる等の問題があった。
【００１３】
（３）コンクリート土間に展開された混合廃棄物の山の中から機械選別工程への投入不適物である長大物や重量物などを、ハンドリング性が悪い重機や、作業姿勢が悪い状態にて人手による選別作業を実施するため選別効率が悪い。
【００１４】
（４）粗選別後の残さ物は、重機により後工程の選別ラインヘ横持ち・投入するため、時間・スペ−ス的な無駄が多い。
【００１５】
（５）機械選別工程では、袋に入った廃棄物の中身は、風力・振動篩い・磁力などでは機械選別することができない。
【００１６】
なお、引用文献１では、風力篩併用選別機などの選別機には約５００ｍｍ以上の長大物や、約１００ｋｇ以上の重量物を含む工事現場の建設混合廃棄物は投入困難であり、機械破損の原因ともなる。したがって、この選別処理設備では、工事現場廃棄物から長大物、重量物を、粗選別時に重機などにより事前に除去する作業が必要となり、粗選別の作業時間がかかり効率が悪い。また建設混合廃棄物は、梱包材や破材などを袋に入れて搬入する割合が高く、袋の中身は、風力・振動篩い・磁力などで機械選別することができない。
【００１７】
また、引用文献２では、破砕時のからまりや熱により、破砕物は異種材の混合物となる割合が多く、材種別の選別効率が悪いため、マテリアルリサイクル率を悪化させる。さらに、破砕機は、金属やセラミック、などの大塊物や硬質物も破砕するため、破砕機の刃の損傷が大きくコストがかかる。 
【００１８】
そこで、本発明は、工事現場の建設混合廃棄物から連続的かつ効率的に再生可燃物を選別することができる建設混合廃棄物の選別設備を提供するものである。
【課題を解決するための手段】
【００１９】
本発明は、建築物の新築工事現場あるいは解体工事現場で発生した、５００ｍｍ以上の粒度範囲の長大物を含む建設混合廃棄物の選別設備において、前記建設混合廃棄物を展開して搬送する展開コンベアと、前記展開コンベアで展開された前記建設混合廃棄物が供給されて前記建設混合廃棄物から長大物を選別する長大物選別機とを配置し、前記長大物から重機にて再生可能物を選別するラインを配置したことを特徴とする。
【００２０】
また、前記長大物選別機で長大物を除いた建設混合廃棄物を３００ｍｍ以上５００ｍｍ未満の粒度範囲の中物と３００ｍｍ未満の粒度範囲の小物に選別する中物選別機と、この中物選別機で選別された前記中物の袋物を破袋する袋物破袋設備と、前記中物選別機で選別された３００ｍｍ未満の粒度範囲の小物を３０ｍｍ未満の粒度範囲の土砂類と３００ｍｍ未満３０ｍｍ以上の粒度範囲の小物に選別する小物選別機と前記袋物破袋設備で破袋した袋物の中身を前記小物選別機に搬送するラインとを備えたことを特徴とする。
【発明の効果】
【００２１】
（１）本発明は、展開コンベアおよび長大物選別機の設置により、重機、人、車両のそれぞれの作業エリアを分離できるので、
ａ．従来の粗選別工程における混在作業を回避でき、安全性が向上する。
ｂ．従来のダンピング時等の粉塵に対する作業環境が改善する。
ｃ．重機によるサイズ選別が長大物選別機により、機械化され機械選別工程への投入不適物の除去が機械化されて確実に行われるとともに、選別作業の機械化率が向上する。
【００２２】
（２）本発明は、袋物が多い約３００〜５００ｍｍサイズの廃棄物の選別を中物選別機で機械化し破袋専用ラインを設置することにより、袋物の中身を後工程で機械選別可能になり選別効率を改善する。
【００２３】
（３）本発明は、破砕しない技術であり、廃棄物を原形のままで選別でき、また粗選別後の手選別などの仕上精選別工程に大物品や土砂が入らないため、選別効率が向上し、マテリアルリサイクル率を上げることができる。  
【発明を実施するための最良の形態】
【００２４】
図１は本発明の選別設備の一例を示す図である。図１において、選別設備には搬入車両１から工事現場の建設混合廃棄物２を直接ダンピング（展開）できる展開コンベア３が配置される。展開コンベア３はスチール製の水平エプロンコンベアで構成された公知のものを使用する。展開コンベア３にダンピングされた建設混合廃棄物２は山ならしされ、定量的に供給コンベア４に移される。
【００２５】
展開コンベア３を設置することにより、従来の重機による展開作業が機械化されるので、省スペ−ス化、省人化を図ることができる。また、建設混合廃棄物を搬入する車両１の搬入エリアを重機作業エリアや人手作業エリアから分離できるので、安全性、作業環境を向上させることがでる。また、従来必要であった機械設備への建設混合廃棄物の重機による投入作業がなくなるので、省スペ−ス化、機械設備への定量供給を効率化することができる。
【００２６】
展開コンベア３から供給コンベア４へ移された廃棄物は、次工程に配置された長大物選別機５へ供給され、約５００ｍｍ以上の長大物６が選別される。
【００２７】
図２〜４は長大物選別機の実施例を示し、図２に示すフォーク式の振動スクリーンや、他にも図３に示すロールスクリーンや、図４に示すスクリューブレード式選別機などを用いることにより長大物を選別することが出来る。
【００２８】
図２のフォーク式の振動スクリーンの斜視図において、供給コンベアにより廃棄物Ａ、Ｂは振動体４２に搬入され、振動体４２は架台４７とスプリング４５及びリンク４６と繋がっており、架台４７に設置された電動機４３により偏芯軸４４が駆動され、偏芯軸４４により上下運動を起こし振動する。振動体４２にはフォーク式スクリーン４１が階段状に配置されフォーク式スクリーン４１のＬ寸法５００ｍｍにより５００ｍｍ以下の廃棄物Ｂは中小物品として下方に落下する。５００ｍｍ以上の廃棄物Ａは長大物品としてフォーク式スクリーン４１の上を滑りながら搬出される。
【００２９】
図３（ａ）の平面図、（ｂ）の側面図に示すロールスクリーンにおいて、ロールスクリーンの選別システムは回転軸５２にディスク５３がＬ寸法５００ｍｍピッチで取付けられている。回転軸５２は軸間Ｌ寸法５００ｍｍで同一平面上に複数傾斜して配置されている。回転軸５２はそれぞれチェーンにより連結しており、電動機５１により同期駆動される。搬入された廃棄物Ａ、ＢはＬ寸法５００ｍｍにより５００ｍｍ以上の廃棄物Ａは軸上又はディスク５３上を滑りながら排出され５００ｍｍ以下の廃棄物Ｂは下方に落下して選別される。
【００３０】
図４（ａ）の正面図、（ｂ）の側面図に示すスクリューブレード選別機において、長大物選別機は回転ドラム６２にスクリューブレード６３が設けられており、電動機６１により回転する。スクリューブレード６３のリードＬ寸法は約５００ｍｍであり、コンベアで供給された廃棄物Ａ、Ｂはガイド６４によりスクリューブレード６３に導かれ約５００ｍｍ以上の廃棄物Ａはスクリューブレード６３の回転によりスクリューブレードの外周に乗ってコンベア６５に導かれ機外に排出される。約５００ｍｍ以下の廃棄物Ｂはスクリューブレード６３のリード間を通って下方に排出されコンベア６６に乗って機外に排出される。
【００３１】
長大物選別機５を配置することにより、重機選別すべき長大物６と、機械選別する中小物１２を自動的に機械で選別可能となるので、長大物６は重機７の作業時にサイズ選別が不要となり、重機作業による種類選別を効率化することができる。また、後工程の機械選別ラインへの投入不適物である長大物が確実に除去されるので、機械の負荷が軽減されて損傷を回避でき長寿命化できる。
【００３２】
長大物選別機５で選別された約５００ｍｍ未満の中小物の建設混合廃棄物１２は、長大物選別機５の後工程にグリズリーフィーダや、振動篩などの中物選別機１４を設置し、破材や梱包材などを入れた袋物が多い約３００〜５００ｍｍの中物１５と、約３００ｍｍ未満の小物１６や土砂類１７を機械選別する。
【００３３】
約３００ｍｍ未満の小物１６や土砂類１７はトロンメルや振動篩いなどの土砂選別機１８のラインへ搬送し、約３０ｍｍ未満の土砂類１７を分離し、オーバー品である約３０〜３００ｍｍの小物１６はエプロンコンベア１９で次工程の風力選別機２０へ搬送する。
【００３４】
前記グリズリーフィーダ、振動篩などの中物選別機１４で選別された袋物やその他の中物１５の下流には破袋を行う破袋ライン２０を設置する。この破袋ライン２０で破袋して袋物の中身を取り出して、土砂分を含むものは前記のトロンメルや振動篩いなどの土砂選別機１８へ搬送する。破袋後の袋、土砂を除いた中身は、そのまま破袋ライン２１からコンベア１９で次工程の風力選別機２０へ搬送する。  
【００３５】
破袋ライン２１により、袋物が多い約３００〜５００ｍｍの中物１５を効率的に選別できるので、破袋、袋物の中身の回収が効率的に実施可能となる。また、袋物ライン２２の設置により、袋の中身が機械選別可能となり、中身に土砂類１７があっても除去できるので、後工程の作業効率を改善することが可能となる。
【００３６】
トロンメル、振動篩いなど土砂選別機１８により土砂を手選別工程の前に機械選別できるので、粉塵などの作業環境を改善することができ、後工程の手選別などの精選別工程に大物品や土砂が入らず、再生可能物を回収しやすくなるので、マテリアルリサイクルが向上する。また、仕上げ選別工程の手選別工程において風力選別機を設置することにより嵩張りやすい軽量可燃物を事前除去することができるので、手選別作業を効率化することができる。
【産業上の利用可能性】
【００３７】
建築物の新築工事現場あるいは解体工事現場で発生した建設混合廃棄物から連続的にかつ効率的に再生可能物を選別する選別設備に利用できる。
【図面の簡単な説明】
【００３８】
【図１】本発明の選別設備を示す図である。
【図２】長大物選別機の一実施例であるフォーク式の振動スクリーンの概略図である。
【図３】長大物選別機の別実施例であるロールスクリーンの概略図である。
【図４】長大物選別機の別実施例であるスクリューブレード式選別機の概略図である。
【図５】従来の建設混合廃棄物の一般的な処理フローの概略図である。
【図６】従来の選別設備の一例を示す図である。
【符号の説明】
【００３９】
１：搬入車両          ２：工事現場の建設混合廃棄物
３：展開コンベア      ４：供給コンベア
５：長大物選別機      ６：長大物
７：重機          
１２：建設混合廃棄物（中小物）
１４：中物選別機
１５：中物            １６：小物
１７：土砂            １８：土砂選別機
１９：コンベア    
２０：風力選別機      ２１：破袋ライン
３０：人手            ３１：選別残さ
３２：重機            ３３：コンベア
４１：フォーク式スクリーン
４２：振動体          ４３：電動機
４４：偏芯軸          ４５：スプリング
４６：リンク          ４７：架台
５１：電動機          ５２：回転軸
５３：ディスク
６１：電動機          ６２：回転ドラム
６３：スクリューブレード
６４：ガイド          ６５：コンベア
６６：コンベア
【図１】
2006000780.tif 000003
【図２】
2006000780.tif 000004
【図３】
2006000780.tif 000005
【図４】
2006000780.tif 000006
【図５】
2006000780.tif 000007
【図６】
2006000780.tif 000008